(57)【要約】  簡単な構造にして耐久性に優れ、円滑に電池反応を継続することができる電池を提供する。疎水性のイオン透過性セパレータ２１を介して接続された２つのセルの中の一方の負極セル２２内に負極の粉体活物質２４を装入した電解質溶液が充填され、他方の正極セル２３内に正極の粉体活物質２５を装入した電解質溶液が充填され、負極セル２２内に負極粉体活物質と接触する導電性の負極集電体２６が設けられ、正極セル２３内に正極粉体活物質と接触する導電性の正極集電体２７が設けられている。
2008099609.tif 000002
【特許請求の範囲】
【請求項１】
イオンは透過するが電子を透過させないセパレータを介して接続された２つのセルの一方のセル内の電解質溶液中に電子を放出する活物質が装入され、他方のセル内の電解質溶液中に電子を吸収する活物質が装入され、２つのセル内に活物質と接触する導電性の集電体が設けられた密閉型ニッケル水素電池において、セパレータが疎水性材料からなることを特徴とする密閉型ニッケル水素電池。
【請求項２】
一方のセルおよび他方のセルの中の少なくとも１つのセル内に酸素を供給しうるように、酸素供給源と一方のセルおよび他方のセルの中の少なくとも１つのセルとを接続したことを特徴とする請求項１記載の密閉型ニッケル水素電池。
【請求項３】
イオンは透過するが電子を透過させない疎水性材料からなるセパレータを介して接続された２つのセルの一方のセル内の電解質溶液中に電子を放出する活物質が装入され、他方のセル内の電解質溶液中に電子を吸収する活物質が装入され、２つのセル内に活物質と接触する導電性の集電体が設けられてなる構造を有する密閉型ニッケル水素電池ユニットを複数基積層してなる密閉型ニッケル水素電池ユニット積層体の伝熱構造であって、隣り合う２基の密閉型ニッケル水素電池ユニットの集電体の間に気体または液体からなる伝熱媒体の流通経路を設けたことを特徴とする密閉型ニッケル水素電池ユニット積層体の伝熱構造。
【請求項４】
イオンは透過するが電子を透過させない疎水性材料からなるセパレータを介して接続された２つのセルの一方のセル内の電解質溶液中に電子を放出する活物質が装入され、他方のセル内の電解質溶液中に電子を吸収する活物質が装入され、２つのセル内に活物質と接触する導電性の集電体が設けられてなる構造を有する密閉型ニッケル水素電池ユニットを複数基積層してなる密閉型ニッケル水素電池ユニット積層体の伝熱構造であって、隣り合う２基の密閉型ニッケル水素電池ユニットの間に一方の密閉型ニッケル水素電池ユニットの集電体ともう一方の密閉型ニッケル水素電池ユニットの集電体に接するように伝熱板を挿入し、且つ上記伝熱板内に気体または液体からなる伝熱媒体の流通経路を設けたことを特徴とする密閉型ニッケル水素電池ユニット積層体の伝熱構造。
【請求項５】
一方のセルおよび他方のセルの中の少なくとも１つのセル内に酸素を供給しうるように、酸素供給源と一方のセルおよび他方のセルの中の少なくとも１つのセルとを接続したことを特徴とする請求項３または４記載の密閉型ニッケル水素電池ユニット積層体の伝熱構造。
【請求項６】
対向して設けられた正極集電体と負極集電体との間に電解質溶液を充填し、正極活物質を含有する正極シートと負極活物質を含有する負極シートが交互に組み込まれるように、上記正極集電体から負極集電体に向けて正極活物質を含有する複数枚の正極シートを配するとともに上記負極集電体から正極集電体に向けて負極活物質を含有する複数枚の負極シートを配し、且つ上記各正極シートと各負極シートの間にイオンは透過するが電子を透過させないセパレータを介在させてなる構造を有する電池ユニットを複数基積層してなる電池ユニット積層体の伝熱構造であって、隣り合う２基の電池ユニットの間に一方の電池ユニットの正極集電体ともう一方の電池ユニットの負極集電体に接するように伝熱板を挿入し、且つ上記伝熱板内に気体または液体からなる伝熱媒体の流通経路を設けたことを特徴する電池ユニット積層体の伝熱構造。
【請求項７】
正極板と負極板の間に電解質溶液を装入するとともに正極セルと負極セルの間にイオンは透過するが電子を透過させないセパレータを介在させ、正極セル内に正極活物質を装入し、負極セル内に負極活物質を装入してなる構造を有する電池ユニットを複数基積層してなる電池ユニット積層体の伝熱構造であって、隣り合う２基の電池ユニットの間に気体または液体からなる伝熱媒体の流通経路を設けたことを特徴する電池ユニット積層体の伝熱構造。
【請求項８】
正極板と負極板の間に電解質溶液を装入するとともに正極セルと負極セルの間にイオンは透過するが電子を透過させないセパレータを介在させ、正極セル内に正極活物質を装入し、負極セル内に負極活物質を装入してなる構造を有する電池ユニットを複数基積層してなる電池ユニット積層体の伝熱構造であって、隣り合う２基の電池ユニットの間に一方の電池ユニットの正極板ともう一方の電池ユニットの負極板に接するように伝熱板を挿入し、且つ上記伝熱板内に気体または液体からなる伝熱媒体の流通経路を設けたことを特徴する電池ユニット積層体の伝熱構造。
【請求項９】
電池ユニット積層体が密閉構造であって、セパレータが疎水性材料からなることを特徴とする請求項６、７または８記載の電池ユニット積層体の伝熱構造。
【発明の詳細な説明】
【技術分野】
【０００１】
本発明は電池及びその伝熱構造に関する。
【背景技術】
【０００２】
近年、携帯用や移動用や据置き用等に用いられているアルカリ電池に対して高性能、高安全性、優れた長期貯蔵性等の高品質化の追求が進んでいる。特に、最近注目されているハイブリッド車や電動工具などには高出力が要求され、これに用いられるアルカリ電池も高出力、高エネルギー密度のものとすることが求められている。特に、ニッケル水素電池は、水酸化ニッケルを主とした活物質からなる正極と、水素吸蔵合金を主材料とした負極とを備える二次電池であり、エネルギー密度が高く、信頼性に優れた二次電池として急速に普及している。【０００３】
ところで、電池性能は電極性能に支配されることはもちろんであるが、セパレータ性能にも強く依存する。セパレータの役割の一つは、電池の正極と負極を互いに絶縁・分離することにあるが、それ以外に、密閉式ニッケル水素電池には、次に挙げるような重要な機能が要求されている。【０００４】
すなわち、電池を充電する際に電解液中の水が電気分解を起こして正極において酸素ガスが発生するが、この酸素ガスを負極の水素吸蔵合金に含まれている水素に吸収させて（酸素と水素を反応させて水にして）、電池の内圧上昇を抑える必要がある。そこで、セパレータは、内圧上昇を抑えるために、正極で発生した酸素ガスを円滑に負極側へ透過させる機能（酸素透過機能）が要求される。一方、密閉型電池は、電解液をセパレータに含浸させているが、円滑な電池反応を行わせるために必要な量の電解液を確保する機能（保液機能）がセパレータには要求される。この酸素透過機能と保液機能は、セパレータの構造にとって互いに相反する機能である。【０００５】
というのは、セパレータを構成する素材である繊維同士の間の空間の寸法を大きくして空間の個数を少なくすると、酸素ガスはセパレータを透過しやすくなるが、セパレータ内部に電解液を保持するのが難しくなる。一方、セパレータを構成する素材である繊維同士の間の空間の寸法を小さくして空間の個数を多くすると、その空間全体を電解液が占有してしまい、酸素が透過するための道筋が奪われ、酸素透過機能が十分でなくなる。すなわち、一定の酸素透過機能を確保するためには、電解液量を少なくしてガス透過空間を確保する方法が考えられるが、電解液量が少ないということはドライアウト（枯れ）につながり、電池寿命の短命化につながる。また、この場合、セパレータが電解液を確実に含浸しうるように、親水処理という余分な処理をセパレータに施す必要がある。【０００６】
この種の先行技術として、例えば、特許文献１と特許文献２には、セパレータを親水性を示すシート部分と疎水性を示すシート部分に分けて、親水性を示すシート部分に保液機能を受け持たせ、疎水性を示すシート部分に電解液が入り込むのを抑えて酸素透過機能を受け持たせる方法が提案されている。【０００７】
すなわち、特許文献１には、親水性の領域と疎水性の領域に分ける方法として、構成繊維がポリプロピレン繊維のような疎水性繊維を主体とする繊維シートにポリエチレンなどのフィルムを融着したり、疎水性の樹脂でコーティングすることにより保護した後、親水性樹脂を含浸、付着あるいは塗布などの方法で親水性を付与した後、このフィルムまたは樹脂を除去することにより疎水部を部分的に有する親水性繊維シートからなるセパレータが開示されている。【０００８】
しかし、繊維より形成されたシート状セパレータでは、通常その平面方向に繊維が配向しており、親水性樹脂は配向した繊維の長さ方向に沿って含浸しやすいので、目的とするシートの厚み方向への含浸とともにシートの平面方向への含浸が進行しやすい傾向があり、疎水性樹脂の保護コーティング層の下へ親水性樹脂が浸透するので、疎水領域を確保することが難しくなる。【０００９】
また、特許文献２には、親水性イオン透過膜に部分的に形成された開口部を塞ぐように、疎水性ガス透過膜を熱融着したセパレータが開示されているが、この開口の大きさは直径が６mmもあり、この方法では小面積で多くの疎水領域を設けることは困難である。【００１０】
要するに、酸素透過機能を向上するにはセパレータが疎水性を有し、保液機能を向上するにはセパレータが親水性を有すればよいが、特許文献１や２に記載されたように、セパレータを親水性領域と疎水性領域に分ける場合、電池の電極中の活物質にとっては酸素透過機能と保液機能の両方が必要であるから、親水性の領域と疎水性の領域はなるべく微細で互いに入り混じった状態で存在することが好ましい。ところが、特許文献１や２に記載された方法ではその実現が困難である。そもそも、微細な親水性の領域と疎水性の領域を正確に区分けするための処理自体が煩雑であり、大幅な製造コストの上昇を招くことになる。【００１１】
さらに、上記したように、電池反応の結果、正極で発生した酸素ガスはセパレータを透過して負極の水素吸蔵合金に含まれている水素に吸収されるが、そもそも酸素は様々な物質を酸化することにより消費されるため、負極には酸素と反応せずに余剰となった水素が蓄積されやすい。そのため、負極側に過剰に充電可能な容量を設けて負極を正極より大きくしている。ところが、負極を正極より大きくしても、蓄積された水素により負極の内圧が上昇しやすく、設備の損傷を招くことがある。【００１２】
以上で明らかなように、円滑に電池反応を継続することができる密閉型のニッケル水素電池は提案されていない。【００１３】
また、一般に電池反応をスムーズに実行するためには、電池構成部材は一定の温度範囲（約２５〜５０℃）にあることが好ましい。特に、密閉構造の電池においては電池反応により発生した熱が内部にこもりやすく、電池の劣化が促進されるので、適切な冷却手段により冷却することが好ましい。一方、過度に冷却すると、電池反応の進行が抑えられる。そこで、劣化が促進されることなく電池反応をスムーズに実行するために、電池は適切な伝熱構造を備えていることが好ましい。しかしながら、このような目的を達成することができる電池の伝熱構造は提供されていない。
【特許文献１】特開平６−１０３９６９号公報
【特許文献２】特開平５−１２９０１４号公報
【発明の開示】
【発明が解決しようとする課題】
【００１４】
本発明は従来の技術の有するこのような問題点に鑑みてなされたものであって、その目的は、簡単な構造にして耐久性に優れ、円滑に電池反応を継続することができる電池及びその伝熱構造を提供することにある。
【課題を解決するための手段】
【００１５】
上記目的を達成するために本発明は、イオンは透過するが電子を透過させないセパレータを介して接続された２つのセルの一方のセル内の電解質溶液中に電子を放出する活物質が装入され、他方のセル内の電解質溶液中に電子を吸収する活物質が装入され、２つのセル内に活物質と接触する導電性の集電体が設けられた密閉型ニッケル水素電池において、セパレータが疎水性材料からなることを特徴としている。【００１６】
また、一方のセルおよび他方のセルの中の少なくとも１つのセル内に酸素を供給しうるように、酸素供給源と一方のセルおよび他方のセルの中の少なくとも１つのセルとを接続したことを特徴としている。【００１７】
また、イオンは透過するが電子を透過させない疎水性材料からなるセパレータを介して接続された２つのセルの一方のセル内の電解質溶液中に電子を放出する活物質が装入され、他方のセル内の電解質溶液中に電子を吸収する活物質が装入され、２つのセル内に活物質と接触する導電性の集電体が設けられてなる構造を有する密閉型ニッケル水素電池ユニットを複数基積層してなる密閉型ニッケル水素電池ユニット積層体の伝熱構造であって、隣り合う２基の密閉型ニッケル水素電池ユニットの集電体の間に気体または液体からなる伝熱媒体の流通経路を設けたことを特徴としている。【００１８】
また、イオンは透過するが電子を透過させない疎水性材料からなるセパレータを介して接続された２つのセルの一方のセル内の電解質溶液中に電子を放出する活物質が装入され、他方のセル内の電解質溶液中に電子を吸収する活物質が装入され、２つのセル内に活物質と接触する導電性の集電体が設けられてなる構造を有する密閉型ニッケル水素電池ユニットを複数基積層してなる密閉型ニッケル水素電池ユニット積層体の伝熱構造であって、隣り合う２基の密閉型ニッケル水素電池ユニットの間に一方の密閉型ニッケル水素電池ユニットの集電体ともう一方の密閉型ニッケル水素電池ユニットの集電体に接するように伝熱板を挿入し、且つ上記伝熱板内に気体または液体からなる伝熱媒体の流通経路を設けたことを特徴としている。【００１９】
また、対向して設けられた正極集電体と負極集電体との間に電解質溶液を充填し、正極活物質を含有する正極シートと負極活物質を含有する負極シートが交互に組み込まれるように、上記正極集電体から負極集電体に向けて正極活物質を含有する複数枚の正極シートを配するとともに上記負極集電体から正極集電体に向けて負極活物質を含有する複数枚の負極シートを配し、且つ上記各正極シートと各負極シートの間にイオンは透過するが電子を透過させないセパレータを介在させてなる構造を有する電池ユニットを複数基積層してなる電池ユニット積層体の伝熱構造であって、隣り合う２基の電池ユニットの間に一方の電池ユニットの正極集電体ともう一方の電池ユニットの負極集電体に接するように伝熱板を挿入し、且つ上記伝熱板内に気体または液体からなる伝熱媒体の流通経路を設けたことを特徴している。【００２０】
さらに、正極板と負極板の間に電解質溶液を装入するとともに正極セルと負極セルの間にイオンは透過するが電子を透過させないセパレータを介在させ、正極セル内に正極活物質を装入し、負極セル内に負極活物質を装入してなる構造を有する電池ユニットを複数基積層してなる電池ユニット積層体の伝熱構造であって、隣り合う２基の電池ユニットの間に気体または液体からなる伝熱媒体の流通経路を設けたことを特徴としている。【００２１】
そして、正極板と負極板の間に電解質溶液を装入するとともに正極セルと負極セルの間にイオンは透過するが電子を透過させないセパレータを介在させ、正極セル内に正極活物質を装入し、負極セル内に負極活物質を装入してなる構造を有する電池ユニットを複数基積層してなる電池ユニット積層体の伝熱構造であって、隣り合う２基の電池ユニットの間に一方の電池ユニットの正極板ともう一方の電池ユニットの負極板に接するように伝熱板を挿入し、且つ上記伝熱板内に気体または液体からなる伝熱媒体の流通経路を設けたことを特徴としている。【００２２】
また、密閉型ニッケル水素電池ユニット積層体および電池ユニット積層体が密閉構造であって、セパレータが疎水性材料からなることを特徴としている。【００２３】
本発明において、伝熱媒体としては、例えば、空気、水または油を用いることができるが、これに限定されるものではなく、一般的に伝熱媒体として知られている気体または液体からなるすべての伝熱媒体を用いることができる。【００２４】
本発明において、疎水性とは、水溶液系電解質溶液による濡れ性が悪いことをいい、具体的には、ガスが疎水性材料からなるセパレータを透過しようとすると、電解質溶液はセパレータに付着することなく移動してガスが透過するための通路が疎水性材料からなるセパレータに形成される現象をいう。【００２５】
次に、この疎水性材料からなるセパレータの作用について、図１を参照しながら、もう少し詳しく説明する。【００２６】
密閉型の電池としては、一般に乾電池と呼称されているものが知られている。乾電池においては、図１（ａ）に示すように、左側の正極側と右側の負極側を分けるセパレータ２は、疎水性の材料３に親水化コーティング４を施し、その親水化コーティング４にイオン移動を保証するために必要な電解液５が少量（親水化コーティング４を湿らせる程度の量）付着されたものである。このように電解液５は、親水化コーティング４を湿らせる程度の少量であるから、セパレータ２を構成する素材の間には、電池反応の結果、左側の正極側で発生した酸素１が右側の負極側に移動するために必要な程度の隙間２ａは形成されており、この酸素は負極側で消費される。従って、密閉化が可能となっているのであるが、上記したように、セパレータ２に付着している電解液は少量であり、正極側で発生した酸素と負極側の水素が反応して水となる反応は、負極側の電解液中の水素が少量であるため、短時間のうちにできなくなって、いわゆるドライアウト（枯れ）につながり、電池として使用できなくなる。【００２７】
一方、図１（ｂ）に示すように、いわゆるベント型蓄電池（開放型蓄電池）では、左側の正極側と右側の負極側を分けるセパレータ６は、疎水性の材料７に親水化コーティング８が施されたもので、電解液９がたっぷり充填されているので、図１（ａ）に示すセパレータ構成素材の間隙２ａに相当するものは存在しない。従って、電池反応の結果、正極側で発生した酸素１０は、電解液９に妨げられて右側の負極側に移動することはできなくなり、電池内の上部に設けられた空間に向かって上昇し、放出される。【００２８】
このように、従来の密閉型の電池は寿命が短いという欠点とセパレータに親水化処理を施さねばならないという欠点がある。また、開放型の電池の寿命は長いが、密閉型と同じくセパレータに親水化処理を施さねばならないという欠点がある。また、本来疎水性の材料であることが多いセパレータの全体又はその表面を親水化処理するためにかなりのコストが必要になる。【００２９】
そこで、図１（ｃ）に示すように、セパレータ１１を疎水性の材料１２で構成することにより、電解液１３がたっぷりと存在しても、電池反応の結果、左側の正極側で発生した酸素１４は、疎水性の材料１２からなるセパレータ１１の構成素材の間隙１２ａに存在する電解液を押しのけて右側の負極側に移動して消費される。【００３０】
このように、本発明は、セパレータを疎水性の材料として十分な量の電解質溶液を有する密閉型の電池を採用することにより、ドライアウトがなくなるので長寿命を達成でき、セパレータに対する親水化処理が不要であるから低コスト化を実現することができ、上部空間が不要であるからエネルギー密度を向上させることができ、密閉型であるからメンテナンスフリーを実現できる。
【発明の効果】
【００３１】
請求項１と３と４と９に記載の発明によれば、セル内には必要な電解質溶液を充填し、しかも、セパレータが疎水性材料であるから、電池反応により正極で発生した酸素ガスはスムーズにセパレータを透過するので、セパレータの保液機能と酸素透過機能は確保される。必要な電解質溶液が充填されているので電池寿命が短くなることもなく、耐久性が向上する。また、親水処理が不要であるから製造コストを低く抑えることができる。また、エネルギー密度を向上させるとともにメンテナンスフリーを実現できる。【００３２】
請求項２と５に記載の発明によれば、以下の効果がある。水素吸藏合金を用いた負極は初期の電気化学反応における活性が著しく劣るため、電池構成後、数サイクルは放電容量が小さく、十数サイクルの充放電を繰り返す初期活性化を行う過程において、負極に余剰の水素が蓄積される。そこで、酸素供給源から負極セル内に酸素を供給することにより、その酸素と負極内の余剰の水素とが反応して水に転換される。また、正極セル内に酸素を供給すれば、その酸素はセパレータを透過して負極内の余剰の水素と反応して水に転換される。また、必要に応じて、酸素供給源から正極セル内および負極セル内に酸素を供給することにより、その酸素と負極内の余剰の水素とを反応させて水に転換することができる。【００３３】
請求項３と４と６と７と８に記載の発明によれば、流通経路を流通する伝熱媒体により電池の温度を適正な範囲に維持することができるので、劣化が促進されることなく電池反応をスムーズに実行することができる。
【図面の簡単な説明】
【００３４】
【図１】図１（ａ）は、従来の密閉型乾電池のセパレータ及びその近傍の拡大図、図１（ｂ）は、従来の開放型蓄電池のセパレータ及びその近傍の拡大図、図１（ｃ）は、本発明の疎水性セパレータ及びその近傍の拡大図である。
【図２】図２は、本発明の密閉型ニッケル水素電池の一実施形態の概略断面構成図である。
【図３】図３（ａ）は、本発明の密閉型ニッケル水素電池の別の実施形態の概略断面構成図、図３（ｂ）は、本発明の密閉型ニッケル水素電池の別の実施形態の一部を示す斜視図である。
【図４】図４は、円筒形電池を一部破断した概略斜視図である。
【図５】図５は、角形電池の概略断面構成図である。
【図６】図６は、伝熱構造を有する電池ユニット積層体を、強制冷却を行うファンと風洞により冷却を行う構成を示した斜視図である。
【図７】図７（ａ）は、伝熱構造を有する電池ユニット積層体の一実施例の縦断面図、図７（ｂ）は、図７（ａ）の正極板および負極板の正面図である。
【図８】図８は、伝熱板の斜視図である。
【図９】図９は、伝熱構造を有する電池ユニット積層体の別の実施例の横断面図である。
【図１０】図１０は、図９の電池ユニット積層体における伝熱板内の空気の流れ方向を示す図であり、絶縁板は省略している。
【図１１】図１１は、図９の電池ユニット積層体における熱の流れ方向を示す図である。
【図１２】図１２は、密閉型電池の概略断面構成図である。
【符号の説明】
【００３５】
１    酸素
２    セパレータ
３    疎水性の材料
４    親水化コーティング
５    電解液
６    セパレータ
７    疎水性の材料
８    親水化コーティング
９    電解液
１０  酸素
１１  セパレータ
１２  疎水性の材料
１３  電解液
１４  酸素
２１  イオン透過性セパレータ
２２  負極セル
２３  正極セル
２４  負極の粉体活物質
２５  正極の粉体活物質
２６  負極集電体
２７  正極集電体
２８  負荷手段または発電手段
２９  電解質溶液界面
３０  配線
３１  配線
４１  単位電池
４２  イオン透過性セパレータ
４３  正極セル
４４  負極セル
４５  正極集電体
４６  負極集電体
４７  集電部材
４８  酸素ボンベ
４９  圧力調整弁
５０  経路
５１ａ、５１ｂ、５１ｃ、５１ｄ、５１ｅ、５１ｆ  バルブ
５２ａ、５２ｂ、５２ｃ、５２ｄ、５２ｅ、５２ｆ  バルブ
５３  ファン
６１  正極活物質シート
６２  イオン透過性セパレータ
６３  負極活物質シート
６４  負極端子
６５  正極端子
７１  正極活物質シート
７２  イオン透過性セパレータ
７３  負極活物質シート
７４  正極端子
７５  負極端子
７６  絶縁体
７７  絶縁体
８１  電池ユニット積層体
８２  空気流通空間
８３ａ  吸気ファン
８３ｂ  吸気ファン
８４  空気流通空間
８１ａ  電池ユニット積層体
８５  正極板
８６  負極板
８７  イオン透過性セパレータ
８８  空気流通空間
８９  導電部材
９０、９１、９２、９３  絶縁板
９４  正極端子
９５  負極端子
９６  伝熱板
９７  空気流通経路
９８  電池ユニット積層体
９９  正極集電体
１００  負極集電体
１０１  イオン透過性セパレータ
１０２  電解質溶液
１０３  正極シート
１０４  負極シート
１０５  統括正極集電体
１０６  統括負極集電体
１０７  絶縁板
１０８  絶縁板
１１１  正極集電体
１１２  負極集電体
１１３  絶縁体
１１４  イオン透過性セパレータ
１１５  正極側セル
１１６  負極側セル
１１７  ポリプロピレン繊維の不織布
１１８  ニッケルフォームの成形体
１１９  ポリプロピレン繊維の不織布
１２０  ニッケルフォームの成形体
【発明を実施するための最良の形態】
【００３６】
以下に本発明を実施するための好ましい形態について説明するが、本発明は下記実施形態に限定されるものではなく、本発明の技術的範囲を逸脱しない範囲において適宜変更して実施することが可能である。
〔密閉型ニッケル水素電池の第一実施形態〕
図２は、本発明の一実施形態の密閉型ニッケル水素電池の一例の概略構成図である。図２において、イオンは透過するが電子を透過させないポリプロピレン繊維の不織布からなる疎水性のセパレータ（一切、親水処理を施していない）２１を介して負極セル２２と正極セル２３が設けられている。セパレータ２１は疎水性であるから、負極セル２２と正極セル２３の内部に電解質溶液を充填する際には、電池内部を減圧下（約１０００Ｐａ以下の内圧）の状態にして電解質溶液を押し込むという方法により、負極セル２２には負極の粉体活物質（水素吸藏合金粉）２４を装入した電解質溶液（ＫＯＨ水溶液）が充填され、正極セル２３には正極の粉体活物質（水酸化ニッケル粉）２５を装入した電解質溶液（ＫＯＨ水溶液）が充填されている。【００３７】
負極と正極の粉体活物質の組み合わせとしては、例えば、水素吸藏合金と水酸化ニッケルの組み合わせを用いることができる。水素吸藏合金の一例としては、Ｌａ０．３（Ｃｅ、Ｎｄ）０．１５Ｚｒ０．０５Ｎｉ３．８Ｃｏ０．８Ａｌ０．５を挙げることができる。      【００３８】
また、電解質溶液としては、例えば、ＫＯＨ水溶液、ＮａＯＨ水溶液、ＬｉＯＨ水溶液などを用いることができる。【００３９】
セパレータ２１は疎水性材料（一切、親水処理は施されていない材料）で製造されているが、セパレータ２１は、常時アルカリ性の電解質溶液に接触するという条件で使用されるので、セパレータ２１に使用される疎水性材料は耐化学薬品性に優れているものが好ましく、例えば、ポリエチレン繊維、ポリプロピレン繊維などのポリオレフィン系繊維、ポリフェニレンサルファイド繊維、ポルフルオロエチレン系繊維、ポリアミド系繊維などは耐化学薬品性に優れているので、好ましく用いることができる。これらの繊維から、例えば、織物、編物、不織布、糸レース、平打組物などの繊維シートを形成することができる。これらの中でも、織物や不織布は引張強度が高く、形態安定性に優れており、電池組立時に破損しにくいので好ましい。この織物としては、平織り、朱子織り、綾織りなどでよく、他方、不織布としては、例えば、カード法、エアレイ法、スパンボンド法、メルトブロー法などにより形成した繊維ウェブを、ニードルパンチ、水流などにより絡合する方法、熱融着性繊維を含む繊維ウェブを熱処理、あるいは熱処理と加圧処理により融着する方法、繊維ウェブを接着剤により接着する方法により得ることができるが、これらに限定されるものではない。【００４０】
また、負極セル２２、正極セル２３の中には、それぞれ、導電性の負極集電体（ニッケル金属板）２６、導電性の正極集電体（ニッケル金属板）２７が設けられており、負極集電体２６、正極集電体２７が負荷手段（放電の場合）または発電手段（充電の場合）２８と接続される。２９は電解質溶液界面である。それら集電体２６と２７の材料としては、アルカリ電解質溶液中で腐食など変質せず、イオンが透過しなくて電気伝導性があるもの、例えば、ニッケル金属板、ニッケル金属箔、炭素板、鉄やステンレス鋼にニッケルメッキした鋼板、炭素板にニッケルメッキしたものなどが使用可能である。【００４１】
次に、本実施形態の電池について、充電および放電の詳細を説明する。
（充電）
充電時には、図２において、電池が発電手段２８と接続されると、発電手段２８から放出された電子は配線３０を経て負極集電体２６に到達し、電子は、負極集電体２６から直接負極セル２２の負極粉体活物質２４と反応するか、または負極セル２２の電解質溶液を経由して負極粉体活物質２４を移動しつつ反応する。負極粉体活物質２４が電子を受容することによって発生した陰イオンはセパレータ２１を透過して正極セル２３に入り、正極セル２３の正極粉体活物質２５と反応して電子を放出する。この電子は直接正極集電体２７に移動するか、または正極セル２３の電解質溶液を経由して正極集電体２７に移動する。この電子は配線３１を経由して発電手段２８に供給される。
（放電）
放電時には、図２において、電池が負荷手段２８と接続されると、負荷手段２８から放出された電子は配線３１を経て正極集電体２７に到達し、電子は、正極集電体２７から直接正極セル２３の正極粉体活物質２５と反応するか、または正極セル２３の電解質溶液を経由して正極粉体活物質２５を移動しつつ反応する。正極粉体活物質２５が電子を受容することによって発生した陰イオンはセパレータ２１を透過して負極セル２２に入り、負極セル２２の負極粉体活物質２４と反応して電子を放出する。この電子は直接負極集電体２６に移動するか、または負極セル２２の電解質溶液を経由して負極集電体２６に移動する。この電子は配線３０を経由して負荷手段２８に供給される。【００４２】
以上の充電および放電反応において、正極セル２３において発生した酸素ガスは疎水性のセパレータ２１を通過して負極セル２２に入り、水素吸藏合金粉からなる活物質に含まれる水素と反応することにより水に転換される。
〔密閉型ニッケル水素電池の第二実施形態〕
この実施形態は、図３（ａ）に示すように、単位電池４１を６組直列に連結した構造である。各単位電池４１は、中間部を、イオンは透過するが電子を透過させないポリプロピレン繊維の不織布からなる疎水性のセパレータ（一切、親水処理を施していない）４２で仕切った正極セル４３と負極セル４４を有している。左端（第１組）の単位電池４１の正極セル４３の左端壁は正極集電体４５として、右端（第６組）の単位電池４１の負極セル４４の右端壁は負極集電体４６として機能する。第１組の単位電池４１の負極セル４４の右側壁および第６組の単位電池４１の正極セル４３の左側壁は隔壁を兼ねる集電部材４７からなる。また、中間に位置する４組の単位電池４１の間にも隔壁を兼ねた集電部材４７が配置され、かくして、左端の第１組の単位電池４１から右端の第６組の単位電池４１に至るまで、集電部材４７を介して直列に接続されている。各正極セル４３と負極セル４４には、共通の電解質溶液としてＫＯＨ水溶液が充填されている。また、正極セル４３のＫＯＨ水溶液には水酸化ニッケル粉Ａが投入され、負極セル４４のＫＯＨ水溶液には水素吸藏合金粉Ｂが投入されている。【００４３】
集電部材の材質としては、ニッケル金属板、ニッケル金属箔、炭素板、ニッケルメッキした鉄、ニッケルメッキしたステンレス鋼、ニッケルメッキした炭素などのアルカリ電解質溶液中で腐食など変質せず、イオンが通過しなくて電気伝導性があるものを使用することができる。【００４４】
セパレータ４２は疎水性材料からなるので、第一実施形態と同様の方法で、正極セル４３と負極セル４４に電解質溶液を充填した。【００４５】
また、図３（ａ）において、高圧の酸素ガスを封入した酸素ボンベ４８から、圧力調整弁４９を経て、各単位電池４１の正極セル４３と負極セル４４に対して、経路５０を経て酸素ガスを供給することが可能である。すなわち、経路５０を経て、６個の正極セル４３に至る各分岐路に設けたバルブ５１ａ、５１ｂ、５１ｃ、５１ｄ、５１ｅおよび５１ｆと、６個の負極セル４４に至る各分岐路に設けたバルブ５２ａ、５２ｂ、５２ｃ、５２ｄ、５２ｅおよび５２ｆとを開閉することにより、正極セル４３と負極セル４４の両方、正極セル４３のみまたは負極セル４４のみに酸素ガスを供給することにより、この酸素ガスと負極セル４４に残っている余剰の水素ガスとを反応させて、水に転換することができる。すなわち、負極セル４４に供給された酸素ガスは負極セル４４内に残っている余剰の水素ガスと反応して水に転換され、正極セル４３に供給された酸素ガスはセパレータ４２を透過して負極セル４４内に残っている余剰の水素ガスと反応して水に転換される。【００４６】
次に、図３（ａ）に示す構成の密閉型ニッケル水素電池において、高圧（２０kg／cm２）の酸素ガスを封入した酸素ボンベ４８から圧力調整弁４９を経て２kg／cm２の酸素ガスを、６組の単位電池４１の各正極セル４３と各負極セル４４の両方に供給した場合における負極セル４４の内圧上昇抑制効果を確認する実験を行ったので、説明する。【００４７】
すなわち、正極集電体４５と負極集電体４６を図示しない負荷手段（白熱灯）に接続して放電を開始して１時間後、６組の単位電池４１の各負極セル４４（電解質溶液のない空部分の容積は０．００１２ｍ３である）の内圧は１ＭＰａまで上昇した。【００４８】
そこで、酸素ボンベ４８から圧力調整弁４９を経て２kg／cm２の酸素ガスを６組の単位電池４１の各正極セル４３と各負極セル４４の両方に供給すると、１時間後に６組の単位電池４１の各負極セル４４の内圧は０．１ＭＰａまで低下した。
〔電池の伝熱構造の第一実施形態〕
上記したように、電池には電池反応に起因する発熱の問題がある。特に、密閉構造の電池では、発熱の問題が無視できないので、適切な伝熱構造を備えることが好ましい。【００４９】
従来の円筒形電池や角形電池は、電池ケースの外側を冷却しているので、所定の冷却効果を挙げることは困難である。というのは、円筒形電池でも角形電池でも、セパレータおよび活物質の配置方向に対して電極間に対して直角方向、例えば、円柱状の電池の場合では半径方向へ熱を伝える構造、つまり、積層したセパレータおよび活物質を通して外部に
熱を伝える構造となっているからである。【００５０】
円筒形電池の一例は、図４に示すように、正極活物質シート６１、イオン透過性セパレータ６２、負極活物質シート６３、イオン透過性セパレータ６２の順に重ねて渦巻き状に巻き取り、円筒形の電池が構成される。この円筒形電池では、ケース６４が負極端子となり、キャップ６５が正極端子となる。角形電池の一例は、図５に示すように、正極活物質シート７１、イオン透過性セパレータ７２、負極活物質シート７３、イオン透過性セパレータ７２の順に重ねて、角形の電池が構成される。この角形の電池では、一方の端部壁７４が正極端子となり、他方の端部壁７５が負極端子となり、側部壁７６、７７は絶縁体である。  【００５１】
図４に示す構造は、活物質シートとセパレータの積層方向（円周方向）に対して直角方向（半径方向）に熱を伝える必要があるが、多層に重ねられた物質を経て良好に熱伝導を達成することは困難であり、むしろ、各層が断熱材に近い役割を果たすと考えられる。特に、熱伝導性の低い繊維または多孔質のプラスチック素材であるセパレータが積層されているため、熱伝導性は特に低くなる。同様に、図５に示す構造は、活物質シートとセパレータの積層方向（水平方向）に対して直角方向に熱を伝える必要があるが、多層に重ねられた物質を経て良好に熱伝導を達成することは困難であり、むしろ、各層が断熱材に近い役割を果たすと考えられる。【００５２】
しかも、電池が大きくなると、容量の（２／３）乗でしか伝熱面積が増加せず、また、伝熱距離も長くなる。その結果、図４および図５において、ケースの外側を冷却しても、電池内部は必要な温度に冷却されない。【００５３】
そこで、図３（ａ）に示す電池構造において、隔壁を兼ねる集電部材４７の構造として、例えば、多孔質とすることで伝熱面積を増やせば、この多孔質集電部材４７が伝熱部材としての役割も果たし、電池反応により発生した熱をこの集電部材から放散し、電池の劣化を抑えることができる。一方、この集電部材４７を放熱部材として利用する以外に、蓄熱部材として利用することもできる。すなわち、電池反応により発生した熱が密閉構造の電池内にこもることは電池の劣化が促進されるので好ましいことではないが、電池反応をスムーズに実行するためには、電池構成部材は一定の温度範囲（約２５℃〜５０℃）にあることが好ましい。そこで、多孔質集電部材４７から強制的に放熱するのではなく、場合によっては、電池構成部材を一定温度以上、例えば約２５℃以上とするために、放熱を抑えるように、一部の多孔質集電部材４７の外面に断熱材を貼着することもできる。同様に、放熱板をファンで強制冷却を行う構造の場合、電池構成部材が一定温度以下の場合には、ファンを稼働させないことにより放熱を抑えるようにすることができる。【００５４】
電池が大型化すると、表面積も大きくなり、表面を冷却するだけでは電池内部の冷却が不充分なことが多い。この場合、図３（ａ）に示すように、電池が複数の単位電池を積層した構造である場合、各単位電池を仕切る隔壁（集電部材４７）を冷却すると電池内部も効果的に冷却することが可能である。隔壁である集電部材４７は電気を流すものであり、図３（ｂ）に示すように、多孔質のアルミニウム板からなる集電部材４７と、セパレータで仕切られた正極セルと負極セルを有する単位電池４１とは密に接続されている。そのため集電部材４７を通して電子だけでなく熱もよく伝えることができる。また、集電部材４７による放熱を効率的に行うために、冷却用空気を供給するためのファン５３を下方に設置した。ところが、ファン５３を停止した状態で室温下において１２０％過充電を行ったところ、２時間後に電池内部に設置した温度計の温度は約１００℃まで上昇した。【００５５】
そこで、ファン５３を起動して６組の単位電池からなる積層型電池に向けて冷風を供給したところ、１２０％過充電を行って２時間経過後においても、電池内部に設置した温度計の温度は室温（２５℃）から約１０℃程度しか上昇しなかった。
〔電池の伝熱構造の第二実施形態〕
図６は、本発明の伝熱構造を有する電池ユニット積層体８１を、強制冷却を行うファンと風洞（空気流通空間）により冷却を行う構成を示した斜視図である。電池ユニット積層体８１は下部に空気が流通する空気流通空間８２を備えており、吸気ファン８３ａと８３ｂによって吸い込まれた空気は空気流通空間８２から電池ユニット積層体８１内の伝熱空間を経て上部の空気流通空間８４を経て外部に放出される。図６における矢印は空気の流れる方向を示す。【００５６】
伝熱構造を有する電池ユニット積層体の一例の縦断面図を図７（ａ）に示す。この電池ユニット積層体８１ａは、６基の電池ユニットを積層したものである。各電池ユニットは、正極板８５と負極板８６の間に電解質溶液を装入するとともに正極セル（後記するセパレータ８７の左側の部分）と負極セル（後記するセパレータ８７の右側の部分）の間に、アルカリ電解液中で腐食など変質せず、イオンは透過するが電子を透過させないセパレータ８７を介在させ、正極セル内に正極活物質を装入し、負極セル内に負極活物質を装入してなる構成である。そして、隣り合う２基の電池ユニットの間には、吸気ファン８３ａと８３から吸い込まれた空気が流通する上下方向の空気流通空間８８が設けられている。【００５７】
なお、空気流通空間８８は、正極板８５と負極板８６が対面している部分の全部にわたって設けられているのではなく、図７（ｂ）に示すように、正極板８５と負極板８６の中央部の上下方向に設けられており、空気流通空間８８の両側には導電部材８９が配置されており、正極板８５と負極板８６は導電部材８９によって接続されている。【００５８】
セパレータ８７としては、例えば、四フッ化エチレン樹脂、ポリエチレン、ナイロン、ポリプロピレンなどの織物や不織布又はメンブレンフィルターなどを使用することができる。導電部材８９としては、ニッケル金属板、ニッケル金属箔、炭素板、ニッケルメッキした鉄、ニッケルメッキしたステンレス鋼、ニッケルメッキした炭素などのアルカリ電解質溶液中で腐食など変質せず、イオンが通過しなくて電気伝導性があるものを使用することができる。【００５９】
９０、９１、９２、９３は絶縁板、９４は正極端子、９５は負極端子である。【００６０】
図７（ａ）において、正極板８５と負極板８６の間に電解質溶液を装入するとともに正極セルと負極セルの間にアルカリ電解液中で腐食など変質せず、イオンは透過するが電子を透過させないセパレータ８７を介在させ、正極セル内に正極活物質を装入し、負極セル内に負極活物質を装入してなる電池ユニットに代えて、図２に示す構成の密閉型ニッケル水素電池を電池ユニットとするもの又は図３に示す単位電池４１を電池ユニットとするものを使用することもできる。
〔電池の伝熱構造の第三実施形態〕
図８は伝熱板９６の一実施例の斜視図である。この伝熱板９６はアルミニウムを素材としてニッケルメッキを施したもので、上下方向に空気の流通経路９７が多数設けられている。この伝熱板９６を図７の正極板８５と負極板８６の間に挿入して、吸気ファン８３ａと８３ｂによって吸い込んだ空気を流通経路９７を流通させることができる。伝熱板は正極板と負極板に接して正極板と負極板を接続するための部材であり、電気伝導性があればよい。その点で、アルミニウムは電気抵抗が比較的低く、熱伝導率が比較的大きいので、本発明の伝熱板として好ましい特性を有しているが、酸化しやすいという欠点を有している。そこで、アルミニウム板にニッケルメッキを施したものは、ニッケルメッキを施すことにより接触抵抗を低下させることができるので、本発明の伝熱板としてさらに好ましい。
〔電池の伝熱構造の第四実施形態〕
図９は、伝熱構造を有する電池ユニット積層体の別の例の横断面図である。この電池ユニット積層体９８は、次に説明する構造の電池ユニットを積層したものである。各電池ユニットは、対向して設けられた正極集電体９９と負極集電体１００の間に、アルカリ電解液中で腐食など変質せず、イオンは透過するが電子を透過させない蛇腹状のセパレータ１０１が交互に両集電体に近接するように配置され、蛇腹状のセパレータ１０１と正極集電体９９とで形成される区画される空間に電解質溶液１０２とともに正極活物質を含有する正極シート１０３を配置し、蛇腹状のセパレータ１０１と負極集電体１００とで形成される区画される空間に電解質溶液１０２とともに負極活物質を含有する負極シート１０４を配置し、正極シート１０３と負極シート１０４がセパレータ１０１を挟んで交互に組み込まれている。また、正極シート１０３は正極集電体９９に接し、負極シート１０４は負極集電体１００に接している。そして、隣り合う２基の電池ユニットの間には、一方の電池ユニットの正極集電体９９ともう一方の電池ユニットの負極集電体１００に接するように図８に示す伝熱板９６が挿入されている。この伝熱板９６の空気流通経路９７は正極シート１０３と負極シート１０４の上下方向に一致している。【００６１】
図９に示すように、電池ユニットの電流を通すとともに熱伝導性のよい金属で構成された正極集電部材９９と負極集電部材１００が、それぞれ正極シート１０３及び負極シート１０４と直接接触し、その上、各集電部材が電気的に正極集電部材９９と負極集電部材１００をつなぐ役割を果たす伝熱板９６と接触しているため、図１０の矢印で示す方向に沿って伝熱板９６の空気流通経路９７を流通する空気に対して、電池反応の結果発生した熱は図１１の矢示で示す方向に沿って効率的に伝達されて外部に放出されるので、電池ユニット積層体の温度を電池反応をスムーズに実行することができる適正な範囲に維持することができる。【００６２】
１０５は統括正極集電体、１０６は統括負極集電体、１０７と１０８は絶縁板である。【００６３】
正極シートは、例えば、正極活物質と導電性フィラーと樹脂に溶剤を加えてペースト状にしたものを基板上に塗布して板状に成形し、硬化させたものであり、負極シートは、例えば、負極活物質と導電性フィラーと樹脂に溶剤を加えてペースト状にしたものを基板上に塗布して板状に成形し、硬化させたものである。正極活物質および負極活物質としては、すべての公知の活物質材料を用いることができる。導電性フィラーとしては、炭素繊維、炭素繊維にニッケルメッキしたもの、炭素粒子、炭素粒子にニッケルメッキしたもの、有機繊維にニッケルメッキしたもの、繊維状ニッケル、ニッケル粒子、ニッケル箔を単独または組み合わせて用いることができる。樹脂としては、軟化温度１２０℃までの熱可塑性樹脂、硬化温度が常温から１２０℃までの樹脂、蒸発温度１２０℃以下の溶剤に溶解する樹脂、水に可溶な溶剤に溶解する樹脂、アルコールに可溶な溶剤に溶解する樹脂などを用いることができる。基板としては、ニッケル板などの電気伝導性のある金属板を用いることができる。
〔電池の耐久性向上の実施形態〕
電池にキャパシター成分を加えて高速、短時間の充放電をこのキャパシター成分で行い、不足分を電池が負担し、結果として、電池の耐久性を向上することが可能である。というのは、キャパシター成分の内部抵抗は電池の内部抵抗に比べて小さいので、高速で短時間の充放電を行った場合、キャパシター成分が主に充放電して電池の負担が少なくなるからである。この効果を得るためには、キャパシター容量の大きな物質をセパレータと正極活物質の間およびセパレータと負極活物質の間に挿入する方法を採用することができる。例えば、図１２に示すような構造の電池を採用することができる。【００６４】
図１２において、１１１は正極集電体、１１２は負極集電体、１１３は絶縁体である。これらで囲まれたセル内には電解質溶液が満たされ、そのセルは、アルカリ電解液中で腐食など変質せず、電子は透過させないが、イオンを透過させるイオン透過性の略蛇腹状のセパレータ１１４によって正極側セル１１５と負極側セル１１６に２分割されている。正極側セル１１５内には、セパレータ１１４に全面的に接する正極活物質を含有する略蛇腹状のポリプロピレン繊維の不織布１１７が配され、さらに、不織布１１７に全面的に接するとともに正極集電体１１１に部分的に接する正極活物質を含有する略蛇腹状のニッケルフォームからなる成形体１１８が配されている。負極側セル１１６内には、セパレータ１１４に全面的に接する負極活物質を含有する略蛇腹状のポリプロピレン繊維の不織布１１９が配され、さらに、不織布１１９に全面的に接するとともに負極集電体１１２に部分的に接する負極活物質を含有する略蛇腹状のニッケルフォームからなる成形体１２０が配されている。図１２の構造において、略蛇腹状のポリプロピレン繊維の不織布１１７と略蛇腹状のポリプロピレン繊維の不織布１１９がキャパシター成分に相当する。【００６５】
図１２に示す構成の密閉型電池において、略蛇腹状のポリプロピレン繊維の不織布１１７と略蛇腹状のポリプロピレン繊維の不織布１１９を取り除いた場合のサイクル寿命は４０００サイクルであったが、図１０に示すように、略蛇腹状のポリプロピレン繊維の不織布１１７と略蛇腹状のポリプロピレン繊維の不織布１１９を有する場合のサイクル寿命は１００００サイクルを超えた（１００００サイクルでもサイクル寿命に達しなかった）。
【産業上の利用可能性】
【００６６】
本発明の電池は、工具、玩具、電灯、カメラ、ラジオ、パソコン、ビデオ、携帯電話などの電源として利用することができる電池として好適に用いることができる。
【図１】
2008099609.tif 000003
【図２】
2008099609.tif 000004
【図３】
2008099609.tif 000005
【図４】
2008099609.tif 000006
【図５】
2008099609.tif 000007
【図６】
2008099609.tif 000008
【図７】
2008099609.tif 000009
【図８】
2008099609.tif 000010
【図９】
2008099609.tif 000011
【図１０】
2008099609.tif 000012
【図１１】
2008099609.tif 000013
【図１２】
2008099609.tif 000014
【国際調査報告】
2008099609.tif 000015
2008099609.tif 000016
2008099609.tif 000017
2008099609.tif 000018
2008099609.tif 000019
2008099609.tif 000020
2008099609.tif 000021
2008099609.tif 000022